(57)【要約】【課題】  それぞれ異なる複数の波長が取り扱われる複数のブレーズ回折形光変調素子を有してなる光変調装置、およびこの光変調装置を構成の一部とする画像表示装置にあって、その光変調素子が、ブレーズ回折格子型光変調素子特有の高い回折効率を得つつ、簡潔な構造とし、小型化、特性の安定化、ひいては、歩留まりの向上、量産性の向上、製造コストの低減化を図る。【解決手段】  異なる波長の入射光に対して光変調がなされる複数の１次元ブレーズ回折形光変調素子１次元ブレーズ回折形光変調素子ＧＬＶ−Ｒ、ＧＬＶ−Ｇ、ＧＬＶ−Ｂを有し、これら異なる波長の入射光に対して光変調がなされる１次元光変調素子が、同一ブレーズ角に選定される。  上述した同一ブレーズ角は、光変調を行う異なる波長の入射光における最長波長の光に対する最適ブレーズ角と、最短波長の光に対する最適ブレーズ角との間の角度に選定され、この構成とすることによって、簡潔な構成を有し、充分高い回折効率を有するブレーズ回折形光変調装置が構成できた。【選択図】        図１
2005062613.tif 000002
【特許請求の範囲】
【請求項１】
異なる波長の入射光に対して光変調がなされる複数の１次元ブレーズ回折形光変調素子を有し、
これら異なる波長の入射光に対して光変調がなされる上記１次元ブレーズ回折形光変調素子が、同一ブレーズ角に選定されて成ることを特徴とするブレーズ回折形光変調装置。
【請求項２】
上記異なる波長の入射光に対して光変調がなされる複数の１次元ブレーズ回折形光変調素子が、同一ブレーズ角に選定されて共通の基板上に配列形成されて成ることを特徴とする請求項１に記載のブレーズ回折形光変調装置。
【請求項３】
上記異なる波長の入射光に対して光変調がなされる上記１次元ブレーズ回折形光変調素子の上記同一ブレーズ角が、上記入射光の最長波長の光に対する最適ブレーズ角と、最短波長の光に対する最適ブレーズ角との間の角度に選定されて成ることを特徴とする請求項１に記載のブレーズ回折形光変調装置。
【請求項４】
上記異なる波長の入射光が、対応する上記１次元ブレーズ回折形光変調素子に対し、異なる入射角をもって入射させ、ほぼ同一方向に１次回折光を発生させることを特徴とする請求項１に記載のブレーズ回折形光変調装置。
【請求項５】
上記異なる波長の入射光が、それぞれ波長６２５ｎｍ〜６７５ｎｍの赤の波長光と、波長５００ｎｍ〜５５０ｎｍの緑の波長光と、波長４２０ｎｍ〜４７０ｎｍの青の波長光とであり、
これら各色の光を入射させる上記同一ブレーズ角とされた上記１次元ブレーズ回折形光変調素子の回折格子要素のチルト段差が１２０ｎｍ〜１４０ｎｍに選定されるようにブレーズ角を選定することを特徴とする請求項１に記載のブレーズ回折形光変調装置。
【請求項６】
上記複数の１次元ブレーズ回折形光変調素子が配列形成された基板を、単一密閉空間内に封入したことを特徴とする請求項２に記載のブレーズ回折形変調装置。
【請求項７】
複数の波長の光を発生する光源部と、各波長の光を表示情報に応じてそれぞれ変調する複数の１次元ブレーズ回折形光変調素子を有するブレーズ回折形光変調装置を具備し、
上記１次元ブレーズ回折形光変調素子が、全て同一ブレーズ角に選定されて成ることを特徴とする画像表示装置。
【請求項８】
上記異なる波長の入射光に対して光変調がなされる複数の１次元ブレーズ回折形光変調素子が、同一ブレーズ角に選定されて共通の基板上に配列形成されて成ることを特徴とする請求項７に記載の画像表示装置。
【請求項９】
上記異なる波長の入射光に対して光変調がなされる上記１次元ブレーズ回折形光変調素子の上記同一ブレーズ角が、上記入射光の最長波長の光に対する最適ブレーズ角と、最短波長の光に対する最適ブレーズ角との間の角度に選定されて成ることを特徴とする請求項７に記載の画像表示装置。
【請求項１０】
上記異なる波長の入射光が、対応する上記１次元ブレーズ回折形光変調素子に対し、異なる入射角をもって入射させ、ほぼ同一方向に１次回折光を発生させることを特徴とする請求項７に記載の画像表示装置。
【請求項１１】
上記異なる波長の入射光が、それぞれ波長６２５ｎｍ〜６７５ｎｍの赤の波長光と、波長５００ｎｍ〜５５０ｎｍの緑の波長光と、波長４２０ｎｍ〜４７０ｎｍの青の波長光とであり、
これら各色の光を入射させる上記同一ブレーズ角とされた上記１次元ブレーズ回折形光変調素子の回折格子要素のチルト段差が１２０ｎｍ〜１４０ｎｍに選定されるようにブレーズ角を選定することを特徴とする請求項７に記載の画像増表示装置。
【請求項１２】
上記複数の１次元ブレーズ回折形光変調素子によってそれぞれ変調されて得た複数の１次元画像を走査して、目的とする結像面において２次元画像を得る走査装置を有して成ることを特徴とする請求項７に記載の画像表示装置。
【請求項１３】
上記請求項１２に記載の画像表示装置であって、画像信号のタイミング処理回路を具備し、
該複数の１次元画像相互の上記走査方向に関して、これら１次元画像の目的とする結像面における、それぞれの走査時の同一地点上の通過時間のずれを、上記タイミング処理手段によって補正されることを特徴とする画像表示装置。
【発明の詳細な説明】
【技術分野】
【０００１】
本発明は、ブレーズ回折形光変調装置および画像表示装置、特に複数の波長、例えば赤、緑および青の波長の光に対しそれぞれ光変調を行うブレーズ回折形の光変調素子によって構成される光変調装置および画像表示装置に関わる。
【背景技術】
【０００２】
画像表示装置、例えばカラー画像表示を行うプロジェクタにおいて、各色の赤、緑および青の各光源からの各色のレーザ光を、表示画像の各色の成分光学像を得るために、各色のレーザ光をそれぞれ光変調素子によって変調して、これら各色の光学像を例えばスクリーン上に合成投射することによってカラー投射画像を得るようにした画像表示装置の提案がなされている。
【０００３】
このような、画像表示装置等に用いられる光変調素子としては、例えば回折格子による空間光変調素子ＧＬＶ（Ｇｒａｔｉｎｇ  Ｌｉｇｈｔ  Ｖａｌｖｅ）が用いられる(例えば特許文献１参照)。
図９Ａに模式的断面図を示すように、通常一般の非ブレーズ形のＧＬＶ２００は、基準面ｆ−ｆ´上に、回折格子を構成する複数のリボン状の回折格子要素２１１，２１２，２１３・・・が、平行配列され、これら回折格子要素２１１，２１２，２１３・・・に対向して平面状の共通電極２０１が、基準面ｆ−ｆ´に平行に配置されて成る。
回折格子要素２１１，２１２，２１３・・・は、それぞれ電極層を有し、共通電極２０１と対向する側とは反対側が光反射面とされて成る。
このＧＬＶ２００による被変調光の入射光Ｌｉは、基準面ｆ−ｆ´に対し直交する方向に入射される。
【０００４】
このＧＬＶにおいては、オフ状態、いわゆるダーク状態においては、図９Ａに示すように、回折格子要素２１１，２１２，２１３，・・・が、基準面ｆ−ｆ´と平行の同一平面内に配置され、この配置面と直交する方向に被変調光の入射光Ｌｉを入射させる。この状態では、各回折格子要素２１１，２１２，２１３，・・・は、平面反射鏡として機能するに過ぎず、反射光Ｌｒが生じるのみである。
【０００５】
これに対して、空間光変調動作時においては、図９Ｂに示すように、回折格子を構成する回折格子要素２１１，２１２，２１３，・・・の１つ置きの回折格子要素２１２，２１４・・・を、他の１つ置きの回折格子要素２１１，２１３・・・の配置面に対し、例えばλ／４（λは、入射光Ｌｉの波長）後退した位置に変位させるとき、反射回折格子として動作し、入射光Ｌｉによって回折光が発生する。図９Ｂにおいては、±１次光Ｌ１およびＬ２を代表的に示している。
【０００６】
この図９に示した回折格子要素が、基準面ｆ−ｆ´に平行に配列されたＧＬＶ２００（以下このＧＬＶを通常一般のＧＬＶと呼称する）においては、空間光変調動作時の状態においては、±両１次光が発生することから、高輝度の変調光を用いる場合には、これら±１次光を、集光合成して高い輝度を得るようにする必要があり、この場合は、光学系が複雑となる問題がある。
また、輝度を犠牲にして、±１次光の一方の１次光のみを用いる場合において、入射光の反射光の遮光と共に、他方の１次光を遮光する必要があり、構造が複雑となる。
【０００７】
これに対して、図２に模式的断面図を示す、いわゆるブレーズ回折形光変調装置（ブレーズ形ＧＬＶと略称する）１００においては、非駆動状態（初期状態）において、図２Ａに示すように、基準面ｆ−ｆ´に対して平行に配置された平面状の共通電極１０１を有し、この共通電極１０１に対向して、リボン状の回折格子要素１１（１１１，１１２，１１３，１１４，・・・）が、基準面ｆ−ｆ´に対して所定の角度、すなわち所定のブレーズ角γをもって配置される(例えば特許文献２参照)。
【０００８】
これら、回折格子要素１１（１１１，１１２，１１３，１１４，・・・）は、それぞれ電極層を有し、共通電極１０１と対向する側とは反対側が光反射面とされて成る。
【０００９】
そして、各回折格子要素１１（１１１，１１２，１１３，１１４，・・・）は、図２Ａで示すように、所定のチルト段差Ｄが形成されるように配列される。この場合、実際の製造上の問題等から、隣り合う回折格子要素１１（１１１，１１２，１１３，１１４，・・・）間には、所要の間隙ｇが形成されるが、上述したチルト段差Ｄは、この間隙ｇが存在しないとしたときの、各回折格子要素１１の上端および下端間の段差をもって近似させ、例えばλ／４とする。
【００１０】
そして、図２Ａの初期の状態を第１の状態とし、例えば図２Ｂに示すように、１つ置きの回折格子要素１１２，１１４、・・・を変位させる第２の状態において、隣り合う対の回折格子要素をもってチルト段差が２Ｄ、すなわち、例えばλ／２となるようにする。
このようにすることによって１方向のみの１次回折光Ｌｄ１が得られるものである（例えば特許文献２参照）。
【００１１】
このように、ブレーズ形ＧＬＶによる場合、回折格子要素の変位によって、１次回折光が１方向に得られることから、実効的な回折効率が高い。
そして、このブレーズ形ＧＬＶ方向から回折格子要素の反射面に対する法線から１方向側のみに１次光が得られることから、上述の非ブレーズ形のＧＬＶ２００に比し、光学系の簡略化、装置の小型化等が図られる。
【００１２】
ところで、この回折格子による光変調素子においては、上述したように、その回折格子要素のチルト段差は、入射光の波長λに依存することから、例えばカラー画像表示装置においては、赤、緑および青の相互に異なる波長の光をそれぞれ変調する光変調素子としてのブレーズ形ＧＬＶは、それぞれ異なる設計のもとになされたそれぞれ異なる波長に関して高い回折効率を得ることができるチルト段差Ｄおよびブレーズ角γを有するブレーズ形ＧＬＶによる光変調素子が用意されることになる。
【００１３】
しかしながら、上述したブレーズ形構成とする場合、その構造が複雑であることから、それぞれ異なる設計に基く複数種の光変調器を作製すること、また、これらを個々に取り扱って光学系に組み込む作業等は、極めて煩雑となる。
【００１４】
【特許文献１】特表２００２−５０３３５１号公報（第１３頁５行〜第１４頁５行および図５および図６）。
【特許文献２】ＵＳ２００３／００３５１８９Ａ１（段落番号００３８〜００４０およびＦｉｇ３Ａ〜４Ｂ）
【発明の開示】
【発明が解決しようとする課題】
【００１５】
本発明において解決しようとする課題は、それぞれ異なる複数の波長が取り扱われる複数のブレーズ回折形光変調素子を有してなる光変調装置、およびこの光変調装置による画像表示装置にあって、その光変調素子が、ブレーズ回折格子形光変調素子特有の高い回折効率を得つつ、簡潔な構造とし、小型化、特性の安定化、ひいては、歩留まりの向上、量産性の向上、製造コストの低減化を図ることができるようにすることにある。
【課題を解決するための手段】
【００１６】
本発明によるブレーズ回折形光変調装置は、異なる波長の入射光に対して光変調がなされる複数の１次元ブレーズ回折形光変調素子を有し、これら異なる波長の入射光に対して光変調がなされる１次元ブレーズ回折形光変調素子が、同一ブレーズ角に選定されて成ることを特徴とする。
また、本発明によるブレーズ回折形光変調装置は、これら異なる波長の入射光に対して光変調がなされる１次元ブレーズ回折形光変調素子の同一ブレーズ角は、入射光の最長波長の光に対する最適ブレーズ角と、最短波長の光に対する最適ブレーズ角との間の角度に選定されて成ることを特徴とする。
【００１７】
また、本発明によるブレーズ回折形光変調装置においては、上述した異なる波長の入射光を、対応する１次元ブレーズ回折形光変調素子に対し、異なる入射角をもって入射させ、ほぼ同一方向に１次回折光を発生させる構成とすることができるものである。
【００１８】
そして、本発明による画像表示装置は、複数の波長の光を発生する光源部と、各波長の光を表示情報に応じてそれぞれ変調する複数の１次元ブレーズ回折形光変調素子を有するブレーズ回折形光変調装置を具備するものであり、その１次元ブレーズ回折形光変調素子が、全て同一ブレーズ角に選定された構成とすることを特徴とする。
そして、この画像表示装置において、そのブレーズ回折形光変調装置は、上述した本発明によるブレーズ回折形光変調装置における構成と同様の構成とすることを特徴とする。
【００１９】
また、本発明による画像表示装置は、上述した複数の１次元ブレーズ回折形光変調素子によってそれぞれ変調されて得た複数の１次元画像を走査して、目的とする結像面において２次元画像を得る走査装置を有して成ることを特徴とする。
そして、この構成にあって、タイミング処理手段を具備するものであり、この複数の１次元画像相互の走査方向に関して、これら１次元画像の目的とする結像面における、それぞれの走査時の同一地点上の通過時間のずれを、タイミング処理手段によって補正することを特徴とする。
【発明の効果】
【００２０】
本発明は、異なる波長の入射光に対して光変調がなされる複数の１次元ブレーズ回折形光変調素子を有するブレーズ回折形光変調装置において、従来構造においては、冒頭に述べたように、それぞれそのブレーズ角を、それぞれの波長に対して最適角に設定していたことに対して、これら複数の１次元ブレーズ回折形光変調素子におけるブレーズ角を、同一ブレーズ角に設定するものであり、このような構成としても、充分に、各波長の入射光に対して従前の非ブレーズ形ＧＬＶの光変調装置と同等もしくはそれ以上の１次回折効率が得られることを見出したものである。
すなわち、この複数の１次元ブレーズ回折形光変調素子のブレーズ角を、これら光変調素子によって光変調を行う異なる波長の入射光のうちの、最長波長の光に対する最適ブレーズ角と、最短波長の光に対する最適ブレーズ角との間のブレーズ角に選定することによって、従来のブレーズ回折形光変調装置における、各波長の光に対してブレーズ角を変更した場合に比して、実質的に遜色のない１次光回折効率が得られたのである。
【００２１】
このように、本発明によるブレーズ回折形光変調装置によれば、その複数の１次元ブレーズ回折形光変調素子について、同一構造、寸法とすることができることから、複雑なブレーズ形構成において、その製造の簡易化、設計値に対するばらつきの低減化が図られる。
そして、これら複数の１次元ブレーズ回折形光変調素子を、共通の基板上に形成する構成とすることによって、より簡潔な構造、製造の簡易化、素子相互の位置関係の設定の精度の向上、組立て精度の向上、全体の小型化、コンパクト化が図られる。
また、複数の１次元ブレーズ回折形光変調素子を、同一製造工程で同時に製造することができることから、量産性の向上を図ることができ、コストの低減化、信頼性の向上を図ることができる。
【００２２】
更に、その波長を異にする入射光の、対応する１次元ブレーズ回折形光変調素子に対する入射角を選定することによって、この１次回折光を、同一方向に発生させることにより、これら１次回折光を、他の光例えば入射光の反射光と分離する例えば空間フィルタを、複数の１次元ブレーズ回折形光変調素子からの１次回折光に対して、共通化することができ、しかもその回折光を選択的に通過させる開口を小さくすることができるので、迷光の通過を減少させることができ、複数の空間フィルタの回避から、部品点数の減少、これに伴う、構成の簡略化、小型化、コストの低廉化を図ることができるものである。
【００２３】
そして、本発明による画像表示装置は、上述したように、複数の波長の光が用いられる画像表示装置であり、かつこれら波長を異にする光によって画像表示を行う構成であり、この構成において、その各波長の光を、表示情報に応じて変調するブレーズ回折形光変調装置を具備するものである。
そして、そのブレーズ回折形光変調装置が、上述した本発明によるブレーズ回折形光変調装置の構成とされるものである。
したがって、本発明による画像表示装置は、上述した本発明によるブレーズ回折形光変調装置におけると同様に複数の１次元ブレーズ回折形光変調素子について、同一構造、寸法とすることができることから、その製造の簡易化、設計値に対するばらつきの低減化が図られる。
【００２４】
そして、これら複数の１次元ブレーズ回折形光変調素子を、共通の基板上に形成する構成とすることによって、より簡潔な構造、製造の簡易化、素子相互の位置関係の設定の精度の向上、組立て精度の向上、小型、コンパクト化が図られることから、特に、画像表示装置例えばプロジェクタにおけるように、取り扱いの簡便性、小型軽量化が望まれる装置においてその効果は大きい。
【００２５】
更に、例えばカラー画像表示装置において、対応する１次元ブレーズ回折形光変調素子に対する入射角を選定することによって、１次回折光を、同一方向に発生させることによって、これら１次光を他の光例えば入射光の反射光と分離する例えば空間フィルタを、複数の１次元ブレーズ回折形光変調素子からの１次回折光に対して、共通化することができるので、部品点数の減少、これに伴う、構成の簡略化、小型化、コストの低廉化を図ることができるものである。
そして、このように、複数、例えば赤、緑および青の変調光、すなわち１次回折光を、相互に同一方向に取り出すことによって、これらを同一方向に向かわせるための合波のための光学手段が省略されることから、画像表示装置としての部品点数の減少、構成の簡略化、コストの低廉化、取り扱いの簡便化を図ることができるものである。
【００２６】
そして、この場合、複数の上述した１次回折光によるレーザ光、例えば赤、緑、および青の光が、相互に平行に、すなわち、所要の間隔をもって平行に進行させることができることから、この画像の結像面、例えばスクリーン、あるいは瞳孔、あるいは結像面に向かう途上において、各光の間隔を、所要の間隔に選定しておくことによって、瞳孔にこれら複数の光線が同時に導入されることを回避できる。したがって、レーザによる、例えば人の目に対する安全性を確保する効果をもたらすことができる。
【００２７】
そして、この例えばスクリーン上における、各色の光線の位置ずれは、タイミング処理手段を設けた構成としたことによって、各色の画像信号を、その位置ずれに応じてタイミング補正することによって、観察者において、実質的に画質の低下を来たすことなく、観察することができるものである。
【発明を実施するための最良の形態】
【００２８】
本発明によるブレーズ回折形光変調装置および画像表示装置の各実施の形態を、図面を参照して例示して説明するが、本発明は、これら実施の形態例に限定されるものではない。
図１は、本発明によるブレーズ回折形光変調装置１の実施の形態例で、図１Ａは、その概略平面図、図１Ｂは、図１ＡのＢ−Ｂ線の概略断面図である。
この例においては、共通の基板２１、例えば厚さ０．７ｍｍ程度のシリコン半導体基板上に、異なる波長の入射光に対してそれぞれ光変調がなされる複数の１次元ブレーズ回折形光変調素子が形成される。この例では、それぞれ波長６２５ｎｍ〜６７５ｎｍの赤のレーザ光と、波長５００ｎｍ〜５５０ｎｍの緑のレーザ光と、波長４２０ｎｍ〜４７０ｎｍの青のレーザ光の入射光に対して、それぞれ光変調がなされる１次元ブレーズ回折形光変調素子ＧＬＶ−Ｒ、ＧＬＶ−Ｇ、ＧＬＶ−Ｂが形成される。
これら、各１次元ブレーズ回折形光変調素子ＧＬＶ−Ｒ、ＧＬＶ−Ｇ、ＧＬＶ−Ｂは、図１Ａで示すように、互いに平行に所要の間隔をもって並置形成することができる。
【００２９】
一方、基板２１上に、１次元ブレーズ回折形光変調素子ＧＬＶ−Ｒ、ＧＬＶ−Ｇ、ＧＬＶ−Ｂを覆って、例えばガラス板より成る透明封止板２２を対向配置し、基板２１および透明封止板２２の外周部を封着材２３、例えば半田によって封着する。
このようにして、複数の１次元ブレーズ回折形光変調素子ＧＬＶ−Ｒ、ＧＬＶ−Ｇ、ＧＬＶ−Ｂが配列形成された基板２１を、この基板２１と透明封止板２２との間に形成された単一密閉空間２４内に封入する。
【００３０】
これら異なる波長の入射光に対して光変調がなされる複数、この例では３組の１次元ブレーズ回折形光変調素子ＧＬＶ−Ｒ、ＧＬＶ−Ｇ、ＧＬＶ−Ｂの基本的構成は、前述した図２の模式的断面図で説明したブレーズ形ＧＬＶ１００による。
すなわち、図１で示した例えば基板１の１主面を基準面ｆ−ｆ´として、この主面上に、各１次元ブレーズ回折形光変調素子ＧＬＶ−Ｒ、ＧＬＶ−Ｇ、ＧＬＶ−Ｂのそれぞれにおける共通電極２０が形成される。
【００３１】
一方、全１次元ブレーズ回折形光変調素子ＧＬＶ−Ｒ、ＧＬＶ−Ｇ、ＧＬＶ−Ｂの構成部に関して、各共通電極１０１に対向して、例えば６本の帯状の回折格子要素１１（１１１，１１２，１１３，１１４，１１５，１１６）を１ピクセルとして、例えば１０８８個のピクセルが、例えば第１の状態の非駆動状態（初期状態）においては、図３Ａ１，Ｂ１，Ｃ１に示すように、基準面ｆ−ｆ´に対し共通する一定のブレーズ角γをもって、また、共通する一定のチルト段差Dをもって、一方向に、すなわち１次元的に形成する。
この状態においては、各波長の例えば赤、緑および青の入射レーザ光ＬｉＲ，ＬｉＧおよびＬｉＢによって回折光は発生せず、反射のみが生じる。
【００３２】
そして、これら１次元ブレーズ回折形光変調素子ＧＬＶ−Ｒ、ＧＬＶ−Ｇ、ＧＬＶ−Ｂにおいて、図３Ａ２，Ｂ２，Ｃ２に示すように、第２の状態において、上述した例えば各波長の赤、緑および青の色の入射レーザ光に対し、１次回折光ＬｄＲ，ＬｄＧおよびＬｄＢを発生させる状態を、１つおきの回折格子要素１１２，１１４，１１６と、これらに対向する共通電極１０１との間に所要の電位を印加することによって変位させる。
【００３３】
このとき、１次元ブレーズ回折形光変調素子ＧＬＶ−Ｒ、ＧＬＶ−Ｇ、ＧＬＶ−Ｂに対する入射レーザ光ＬｉＲ，ＬｉＧ，ＬｉＢの、入射角δＲ，δＧ、δＢを選定することによって、図３Ａ２，Ｂ２，Ｃ２に示すように、各１次回折光ＬｄＲ，ＬｄＧ，ＬｄＢを一定の出射角αとなるようにする。
これら１次回折光は、図４に示すように、空間フィルタを通じて取り出される。
このようにして、第１および第２の状態の切り換えによって１次回折光の例えばオン・オフを行って、この１次回折光のオン・オフをもって光変調を行う。
【００３４】
本発明においては、上述したように、１次元ブレーズ回折形光変調素子ＧＬＶ−Ｒ、ＧＬＶ−Ｇ、ＧＬＶ−Ｂにおいて、そのブレーズ角、すなわち回折格子要素１１の傾き角γ、チルト段差Dを共通にするものであるが、そのブレーズ角γは、入射光の最長波長の光、この例では、赤の波長に対する最適ブレーズ角と、最短波長の光に、この例では、青の波長に対するそれぞれの最適ブレーズ角との間の角度に選定する。
【００３５】
また、上述した異なる波長の入射光が、それぞれ波長６２５ｎｍ〜６７５ｎｍの赤の波長光と、波長５００ｎｍ〜５５０ｎｍの緑の波長光と、波長４２０ｎｍ〜４７０ｎｍの青の波長光である場合において、その全１次元ブレーズ回折形変調素子ＧＬＶ−Ｒ、ＧＬＶ−Ｇ、ＧＬＶ−Ｂの回折格子要素１１（１１１〜１１６）のチルト段差Ｄは、１２０ｎｍ〜１４０ｎｍに選定されるように、ブレーズ角を選定する。
【００３６】
尚、上述した説明においては、第１および第２の状態を代表的に説明したが、これらの中間の状態を形成することによってオン・オフのみならず、その中間の諧調的状態を形成することもできる。
【００３７】
上述したように、本発明においては、各波長光に関する１次元ブレーズ回折形光変調素子ＧＬＶ−Ｒ、ＧＬＶ−Ｇ、ＧＬＶ−Ｂにおいて、同一出射角αの設定を行うときは、図４に、その１次回折光を選択的に取り出す空間フィルタ２５の開口２５Ｗを充分小さくすることができることから、空間フィルタ２５を通過する迷光を効果的に回避できる。
これに対し、例えば図８に示すように、１次回折光が分散される構成とするときは、空間フィルタ２５の開口２５Ｗは、大にせざるを得なくなり、これに伴い迷光の入り込みが大きくなる。
【００３８】
上述したように、本発明によるブレーズ回折形光変調装置によれば、複数の異なる波長に関する１次元ブレーズ回折形光変調素子を同一設計とするものであるが、図５を参照してその回折効率の波長依存性について説明する。
図５中、曲線５０Ｒ，５０Ｇ，５０Ｂは、それぞれ本発明構成によらず、それぞれチルト段差Ｄを、各赤、緑、青の入射波長６４２ｎｍ，５３２ｎｍ，４５７ｎｍの１／４に選定したブレーズ形ＧＬＶにおける入射光波長に対する１次回折光効率の依存性を示したものである。
また、破線５０は、ブレーズ形によらない図９で示した非ブレーズ形の通常一般のＧＬＶにおける回折効率を示したものである。
そして、図５中、曲線５１は、本発明によるブレーズ形ＧＬＶにおいて、その光変調がなされる入射光の最長波長の光、この例では６４２ｎｍと、最短波長の光、この例では４５７ｎｍとのほぼ中間の５００ｎｍに対する最適段差にした場合の波長依存性を示したものである。
曲線５１をみて明らかなように、各赤、緑、青の入射波長６４２ｎｍ，５３２ｎｍ，４５７ｎｍに関して、十分な高い回折効率が得られている。そして、従来の非ブレーズ形の破線５０の効率に比しては、かなり高い効率を示すことがわかる。
【００３９】
また、図６Ａは、１次元ブレーズ回折形光変調素子における相対回折効率の、規格化されたチルト段差依存性を示す図である。
ここで、
相対回折効率＝［２−２ｃｏｓ｛π（−１＋ｐｔ）｝］／［π２（−１＋ｐｔ）２］
・・・・・（１）
但し、ｐｔは、規格化チルト段差であり、ｐｔ＝設計チルト段差×４／λとする。
上記（１）式は、図６Ａに示す回折格子要素１１の配列において、その真上から、平面波を入射させたときに生じた光の波形のフーリエ変換で求めた１次回折光の式で、そのチルト段差を波長で規格化した。
【００４０】
図６Ａにおいて、非ブレーズ形のＧＬＶにおける±１次回折光の一方の回折効率は、４／π２であるが、この非ブレーズ形のＧＬＶにおいて、±１次回折光の両光を合波して用いる場合を想定すると、８／π２となる。
すなわち、この非ブレーズ形のＧＬＶにおける±１次回折光より高い回折効率を得るには、８／π２以上の回折効率が得られるチルト段差とすることが必要となる。
この条件を満たすためには、図６Ａにより、規格化チルト段差ｐｔが、１／２＜ｐｔ＜
３／２に選定されることが必要となる。
すなわち、具体的には、入射光が、６４３ｎｍ，５３２ｎｍ，４５７ｎｍである場合、設計チルト段差は、８０．４ｎｍ〜１７１ｎｍの間とする。
【００４１】
尚、本発明による１次元ブレーズ回折形光変調素子の具体的構造、およびその製造方法は、公知の構造および製造方法を適用できる。例えば前述した特許文献２（ＵＳ２００３／００３５１８９Ａ１）に開示の構造および製造方法によることができる。
【００４２】
次に、本発明による画像表示装置の実施の形態例を図７の概略構成図を参照して説明する。
本発明による画像表示装置３０は、本発明によるブレーズ回折形光変調装置１を具備する。
本発明による画像表示装置は、例えばカラー画像投影装置に適用し得るものであり、図７はこの場合の実施の形態例である。
この実施の形態例では、ブレーズ回折形光変調装置１と、空間フィルタ２５と、投影レンズ３１と、ガルバノスキャナあるいはポリゴンスキャナ等よりなるスキャナ３２と、スクリーン３３と、光源部３４とを有する。
【００４３】
光源部３４は、それぞれ例えば波長６２５ｎｍ〜６７５ｎｍの赤の波長のレーザ光と、波長５００ｎｍ〜５５０ｎｍの緑の波長のレーザ光と、波長４２０ｎｍ〜４７０ｎｍの青の波長のレーザ光をそれぞれ発生する例えば半導体レーザあるいは利得媒質を有する固体レーザ、固体レーザと波長変換素子との組み合わせによるレーザ光発生装置３４Ｒ、３４Ｇ、３４Ｂが配置されて成る。
【００４４】
ブレーズ回折形光変調装置１は、例えば図１で説明した１次元ブレーズ回折形光変調素子ＧＬＶ−Ｒ、ＧＬＶ−Ｇ、ＧＬＶ−Ｂを有し、これらに、それぞれ光源部３４のレーザ光発生装置３４Ｒ、３４Ｇ、３４Ｂからの各色のレーザ光ＬｉＲ，ＬｉＧ，ＬｉＢが、所要の光学系３５を通じて次元ブレーズ回折形光変調素子ＧＬＶ−Ｒ、ＧＬＶ−Ｇ、ＧＬＶ−Ｂの１次元方向に沿うライン状の入射光ＬｉＲ，ＬｉＧ，ＬｉＢとされて入射される。
一方、これら１次元ブレーズ回折形光変調素子ＧＬＶ−Ｒ、ＧＬＶ−Ｇ、ＧＬＶ−Ｂには、赤、緑および青の各色の投影画像信号源ＳＲ，ＳＧおよびＳＢからの各色の投影画像信号が供給されてこれにより、入射レーザ光の１次回折光の発生のオン・オフ制御がなされ、この光変調がなされた各１次元回折光によるレーザ光が、空間フィルタ２５、投影レンズ３１を通じてスキャナ３２に照射され、スクリーン上に投射され、スキャンされて２次元像として投射される。
【００４５】
この場合、上述した１次元ブレーズ回折形光変調素子ＧＬＶ−Ｒ、ＧＬＶ−Ｇ、ＧＬＶ−Ｂは、図４で説明したように、これら１次元ブレーズ回折形光変調素子ＧＬＶ−Ｒ、ＧＬＶ−Ｇ、ＧＬＶ−Ｂから発生した１次回折光が、同一方向に出射されるように選定されているものであり、このようにされていることから、前述したように、空間フィルタ２５の開口２５Ｗは小に選定でき、迷光の入り込みが低減される。
そして、このように、平行光として送り出されたレーザ光は、スクリーン上で幾分、相互に集中されるものの、相互にスキャン方向に離間している。
【００４６】
このように、例えば３本のレーザ光が離間していることは、安全性において好ましいが、画像としては、画質の低下を来たす。
そこで、この実施の形態においては、１次元ブレーズ回折形光変調素子ＧＬＶ−Ｒ、ＧＬＶ−Ｇ、ＧＬＶ−Ｂへの画像信号の供給部に、これらのタイミングを補正するタイミング処理手段３６、例えば各色、少なくとも２色の画像信号に対してタイミングを補正する遅延回路を設けるものであり、このようにして、スクリーン上での各レーザ光のずれに応じて、画像信号による画像に時間的ずれを発生させて、各スキャン位置で、この位置で投影すべき画像が忠実に再現されるようになすものである。
【００４７】
そして、本発明においては、例えばスクリーン上における各レーザ光の間隔の選定、また、その途上において、各レーザ光が一致することを回避し、人間の瞳孔の幅以上の間隔となるように、その間隔を選定する。
このようにすることによって、仮にレーザ光の光路内に、観察者が入り込んで、肉眼によって受光する場合においても、その瞳孔の幅以上の間隔以上にレーザ光の間隔を選定していることによって、同時に２本以上のレーザ光が瞳孔に入ることが回避され、安全性を確保できるものである。
【００４８】
尚、本発明は上述したスクリーン上に画像投射を行う例に限られるものではなく、また、ガラー画像表示装置に限られることなく、複数の波長の光源が用いられる各種画像表示装置に適用して、同様の効果を奏することができるものである。
【図面の簡単な説明】
【００４９】
【図１】本発明によるブレーズ回折形光変調装置の実施の形態例で、図Ａは、その概略平面図、図Ｂは、図ＡのＢ−Ｂ線の概略断面図である。
【図２】本発明によるブレーズ回折形光変調装置の基本構成を示す図で、図Ａおよび図Ｂはその第１および第２の状態における回折格子要素の配置状態を示す図である。
【図３】図Ａ１，図Ｂ１，図Ｃ１は、第１の状態での、互いに異なる波長に対する本発明装置の１次元ブレーズ回折形光変調素子の一例の概略図、図Ａ２，図Ｂ２，図Ｃ２は、第２の状態での、同様の１次元ブレーズ回折形光変調素子の概略図である。
【図４】図３で示した本発明装置の１次元ブレーズ回折形光変調素子の１次回折光の空間フィルタとの関係を示す図である。
【図５】一次元回折格子による光変調素子ＧＬＶの回折効率の波長依存性を示す図である。
【図６】図Ａは、１次元ブレーズ回折形光変調素子の相対回折効率の規格化されたチルト段差との関係を示す図で、図Ｂは、その説明図である。
【図７】本発明による画像表示装置の実施の形態例の概略構成図である。
【図８】図４と対比される空間フィルタと回折光との関係を示す図である。
【図９】図Ａおよび図Ｂは、非ブレーズ形光変調装置の第１および第２の状態における回折格子要素の配置状態を示す図である。
【符号の説明】
【００５０】
１・・・ブレーズ回折形光変調装置、２１・・・基板、２２・・・透明封止板、２３・・・封着材、２４・・・密閉空間、２５・・・空間フィルタ、２５Ｗ・・・開口、１００・・・ブレーズ回折形光変調装置（ブレーズ形ＧＬＶ）、１１０・・・共通電極、１１（１１１〜１１６）回折格子要素、３０・・・画像表示装置、３１・・・投影レンズ、３２・・・スキャナ、３３・・・スクリーン、３４・・・光源部、３４Ｒ，３４Ｇ，３４Ｂ・・・レーザ光発生装置、３５・・・光学系、３６・・・タイミング処理回路、２００・・・非ブレーズ形ＧＬＶ、２０１・・・共通電極、２１１〜２１６・・・回折格子要素、ＧＬｉ，ＬｉＲ，ＬｉＧ，ＬｉＢ・・・入射レーザ光、Ｌｄ，ＬｄＲ，ＬｄＧ，ＬｄｉＢ・・・回折光
【図１】
2005062613.tif 000003
【図２】
2005062613.tif 000004
【図３】
2005062613.tif 000005
【図４】
2005062613.tif 000006
【図５】
2005062613.tif 000007
【図６】
2005062613.tif 000008
【図７】
2005062613.tif 000009
【図８】
2005062613.tif 000010
【図９】
2005062613.tif 000011